(57)【要約】      （修正有）【課題】紙で成形した紙皿であって深さを有する紙皿をプレスにて成形し、その表面に皺のないきれいな紙皿を提供する。【解決手段】紙皿１の表面の少なくとも紙皿１の深さを形成する内周側面に放射状でかつ均等に６条乃至１２条の線条４を形成し、該線条４は紙皿の表面から裏面方向へ突出した形成した線条４の凹みにより形成する紙皿１である。【選択図】図１
0003182070.tif 000002
【実用新案登録請求の範囲】
【請求項１】
紙皿の表面の少なくとも紙皿の深さを形成する内周側面に放射状でかつ均等に６条乃至１２条の線条４を形成し、
該線条４は紙皿の表面から裏面方向へ突出した形成した線条４の凹みにより形成するものであることを特徴とする紙皿。
【請求項２】
紙皿の外周縁に鍔部２を有することを特徴とする請求項1記載の紙皿。
【考案の詳細な説明】
【技術分野】
【０００１】
本考案は、中心部が凹んだ深さを有する紙皿であって、紙皿の表面である傾斜面に不規則な皺等を有さない紙皿に関する。
【背景技術】
【０００２】
従来より、更に関しては陶磁製品やガラス製品或いは樹脂性製品等が多用されている。
これらはその表面を該材質に基づき各種の表面を成形できるものである。
又、これらは例えば一定程度強度を有し、又多数回繰り返し使用できるものである。
【０００３】
特に紙皿を用いた場合には軽い皿を提供できるものであって、例えば航空機内での使用や持ち運ぶことの必要な場所に運搬する等の必要のある場合等は軽量であることが極めて有用となる。
又、紙ゆえに衝撃に対してその衝撃を吸収できる性質を有し、破損の可能性が低い皿の提供を可能とする。
【０００４】
更には紙製ゆえ低価格で製造できるものであって、例えば使い捨て等にも耐えうる皿の提供を可能とする。
従って、紙皿の需要は多く、これに基づいて各種の紙製の皿である紙皿が多用されている。
例えば実用新案登録第３１７１９８７号（特許文献１）に示す紙皿や、実用新案登録第３１６８３７４号（特許文献２）に示す紙皿、更には特開平５‐７７３４４号（特許文献３）に示す紙皿が存在する。
【先行技術文献】
【特許文献】
【０００５】
【特許文献１】実用新案登録第３１７１９８７号
【特許文献２】実用新案登録第３１６８３７４号
【特許文献３】特開平５‐７７３４４号
【考案の概要】
【考案が解決しようとする課題】
【０００６】
以上の様に、紙皿は各種のものが使用されているものである。
まず実用新案登録第３１７１９８７号（特許文献１）に示す紙皿は外周部分にフランジを有すると共に略四角形状をなしている構成である。
しかし、この様に構成した場合に、該四角形状の各角部にはどうしても皺が入ってしまうものであり、見た目にもきれいな表面とは言い難いものとなる。
【０００７】
又この皺部分の不規則な凹凸によって、その使用感等を損なうことともなる。
更に、この不規則に皺はその皺の隙間に内容物が入ってしまい、又は挟まってしまうことがあり、使いづらいものとなる。
【０００８】
次に実用新案登録第３１６８３７４号（特許文献２）に示す紙皿は、紙皿本体となる円形紙を加圧して凹曲面に形成すると共に糸底を別部材で構成した後両者を貼着して形成してなる紙皿であるが、この場合の一枚の紙葉を曲面形状に形成することからどうしても凹みの少ない紙皿として成形せざるを得ず、例えばより深みのある曲面を形成するとどうしても表面に皺が生じてしまい、又変形等がしやすいものとなってしまう。
【０００９】
従って、この皺を極力少なくするには皿の深さをどうしても浅くしなければならず、ほぼ平面に近い紙皿の形成か。或いは皺を有する紙皿とならざるを得ないものとなる。
従って、不規則な皺を如何に排除してきれいな曲面を有する深さのある紙皿の形成が望まれるものである。
従って、紙皿自体に先天的に一定の制限が掛かるものとなる。  
次に、曲面を成形しても皺を生じさせない構成として特開平５‐７７３４４号（特許文献３）が存在する。
この構成は３６条もの極めて多数の線条をプレス加工により形成することが必要であり、この多数の線条の存在によって初めて皺を防止できるものであり、これを有さないとそもそも皺の発生を防止できない構成でしかない。
【００１０】
更には外周部分を打ち固め、更に打ち固めた外周部を板紙より狭いクリアランスを通してしごくものであり、この上で該周縁をカーリングすることによって形成されるものであることも必要な構成である。  
従って多数の線条の存在が前提となり、この成形やこの部分が外観に表出されることにより、極めて目を引くものとなり、目立ってしまうものであり、陶器製の皿等との相違が明確となり、どうしても紙であることが明確となると共に凹凸の多い皿とならざるを得ない。
【００１１】
これらのことより、より少ない数の線条できれいな紙皿の表面を形成でき、不規則な皺を防止することが望ましてものである。
即ち多数条の線条は見た目にもインパクトを有することから、この線条を極力減らすか、或いはこの様な外観を極力目立たなくすることがどうしても必要となってしまう。
【００１２】
そこで紙皿本来の表面の装飾や柄が良く視認でき、例えば高級な陶器の皿に近似する紙皿の提供が可能となるようにしなければならないものである。
特に図柄を紙皿表面に入れる場合等においては極力皿表面の凹凸を減らすことが必要であり、特許文献３のような極めて多数条の線条を有する構成とすると、その図柄は浮き出ることはなく、多数の凹凸を有するでこぼこした表面を有する紙皿として使用することが必要となる。
【００１３】
更に、特許文献３に示す構成は、この様に紙皿の外周面に極めて多数の放射状の線条を構成して折り皺を形成し、更にこれをしごいて外周部分を打ち固め、更に打ち固めた外周部を板紙より狭いクリアランスを通してしごくものであり、更に該周縁をカーリングすることにより初めて成形される紙皿である。
【００１４】
以上より多数の線条の存在や更にこれをしごいて外周部分を打ち固め、更に打ち固めた外周部を板紙より狭いクリアランスを通してしごくことが必要となり、更に該周縁をカーリングすることが必要となる。
従って極めて製造工程が複雑でコストのかかる構成とならざるを得ないものである。
これらのことよりこれらの欠点を解消して、より低コストで簡単に製造できると共に、表面に皺を有さずに見栄えの良い紙皿の提供のできる考案の提供が望まれるものである。
【課題を解決するための手段】
【００１５】
以上のように係る課題を有することから、本考案は係る課題を見事に解決する紙皿の提供を行うものである。
係るため請求項１に係る考案は、紙皿の表面の少なくとも紙皿の深さを形成する内周側面に放射状でかつ均等に６条乃至１２条の線条を形成し、該線条は紙皿の表面から裏面方向へ突出した形成した線条の凹みにより形成する紙皿からなり、係る考案によって前記課題を解決できる。
又、請求項２に係る考案は紙皿の外周縁に鍔部を有する紙皿からなり、係る紙皿を用いてもよい。
【考案の効果】
【００１６】
以上のように構成したことから、まず請求項１に係る考案によって成形時における紙に加わる圧力を線条の凹凸部分によって吸収し、表面に形成される皺の発生を防止することができる。
特に多数の線条を設けなくとも６条程度の線条を均等に放射状に配設することによって、十分に深さを有して形成する紙皿の表面に係る圧力を分散吸収して皺の発生を防止できるものとなる。
【００１７】
この場合６条乃至１２条程度の角度として中心から６０度又は３０度程度の各度ごとに線条を設けることにより皺を防止できる。
従って放射状に２０条程度以上の極めて多数の線条を殊更設ける必要はなく、簡単に成形できるものとなる。
更に６条乃至１２条程度の線条に関しては外観から視認した状態でもそれほど目立つものではなく見栄えの点で多数の線条を殊更形成した紙皿に比較し極めてシンプルでかつ紙皿本来のきれいな表面を表出できる。
【００１８】
次に請求項２に係る考案により紙皿の外周部分に鍔部を設けることにより紙皿の外周を見栄え良く形成できるものであると共に紙皿の強度を飛躍的に向上させることができる。
この場合殊更カール部分を紙皿外周縁部分に形成する必要はなく、鍔部を形成することにより簡単かつ見栄え良く紙皿を形成できるものとなる。
【図面の簡単な説明】
【００１９】
【図１】本考案に係る紙皿の一例を示す図
【図２】本考案に係る紙皿の一例を示す図
【図３】本考案に係る紙皿の一例を示す図
【考案を実施するための形態】
【００２０】
図１は、本考案に係る紙皿の一例を示す図である。
表裏に樹脂シートをラミネートした紙皿１であり、その外周縁には鍔部２を有し、鍔部から紙皿内周部は凹み形状を有する内周側面を有して該部分に深さを有すると共に底部３を有する。
該内周側面には計１０条の線条４を有する。
【００２１】
この線条は該内周側面に有する底部にまでは及んでいない。
更にこの線条は紙皿の中心部分に向かって放射状に形成されているものである。
この線条は紙皿の表面から裏面方向に突出して形成した線条を形成しているものであり、例えばプレス加工などにより形成するものである。
更に鍔部にも該内周側面から延在した線条を有する。
【００２２】
この場合例えば成形時において紙皿に凹みを成形するに際してプレス加工を行い、線条の形成と共に該紙皿形状の基本的な湾曲形状と線条形態とを構成し、更に該周縁部分をプレス加工により平行方向に屈曲成形することによって鍔部を構成した一例である。
この様に形成することにより、紙皿内周側面に線条を放射状に１０条形成し、この紙皿の湾曲した深さを有する底部を形成することができる。
【００２３】
更に湾曲するに際して紙が引っ張られ又押し縮められて成形した際の不規則な皺は、この線条の形成によって吸収され、不規則な皺が生ずることはない。  従ってきれいな表面を有する紙皿の形成ができる。
この場合線条は１０条形成したものを示すがこれに限らず、約６条乃至１２条程度の線条を放射状に等間隔で形成したものであってもよい。
【００２４】
少なくとも６条以上の線条を有することによって曲面を形作る紙皿の深み部分の内周側面に生ずる皺を効率よく吸収できる。
又１２条程度以下であれば見栄えの点でも目立ちにくいものであり、きれいな側面を有する紙皿の提供ができる。
これ以上の場合には線条が目立ちすぎてしまうことから、１２条以下が最適である。
【００２５】
更に等間隔に形成することにより、不規則な皺をまんべんなく吸収できるものである。
尚、この線条は紙皿表面に線条の凹みを形づけて裏面方向に突出させることにより形成したものであり、その幅は線によって形成される程度のものでよい。
殊更幅を持たせる必要はなく線条の凹みを有していればよい。
特にこの線条の凹みによって充分に皺を吸収できるものである。
【００２６】
図２は、図１に示す紙皿よりも深さの少ない浅い底を有する紙皿の一例を示す図である。
本図に示すように深さの浅い紙皿の場合であっても、内周側面が曲面を形成することから紙製による紙の引っ張り又は押し縮め部分が発生することから、これに基づく不規則な皺を紙皿の内周側面に形成した線条によって吸収できることとなり、皺の発生を防止できる。
特に本図構成においては８条の線条を設けた一例を示す。
【００２７】
図３は、紙皿の該周縁部を鍔部とせずに、紙皿の外周縁と角度と異なるより少ない角度を有する弓状の曲面を複数つなげて形成した花弁状の周縁部５を有する紙皿の一例を示す。
この様に構成してもきれいな紙皿の提供を可能とする。
【００２８】
以上のように紙皿の形成に際して紙皿の表面に放射状に均等に６条乃至１２条の線条を形成すると共に、該線条は少なくとも紙皿の深さを形成する内周側面に有するものであって、該線条は紙皿の表面から裏面方向へ突出した形成した線条の凹みにより形成するものからなる。
係る構成により紙皿の不規則な皺を見事に吸収してきれいな表面を有する紙皿の提供が可能となる。
【符号の説明】
【００２９】
１      紙皿
２      鍔部
３      底部
４      線条
５      花弁状の周縁部
【図１】
0003182070.tif 000003
【図２】
0003182070.tif 000004
【図３】
0003182070.tif 000005